(57)【要約】【課題】ブラックライトからの紫外線照射により発色、発光する蛍光塗料を用いたユニークな名刺を提供する。【解決手段】紙、金属、木材、樹脂のいずれかにより形成された名刺素材１の表面に、太陽光あるいは昼光灯の下で普通に目視できる通常塗料により表示された文字又は模様と、太陽光あるいは昼光灯の下では白色であり、素材が白色の場合は目視し難いが、ブラックライトの照射により発色、発光する蛍光塗料により表示された文字又は模様とをそれぞれ形成してなる。あるいは、名刺素材１の表面に、ブラックライトの照射により発色、発光する蛍光塗料のみにより表示された文字又は模様を形成してなる。【選択図】　　　　図１
0003098332.tif 000002
【実用新案登録請求の範囲】
【請求項１】
名刺素材面に、通常塗料により表示された文字又は模様と、ブラックライトの照射により発色、発光する蛍光塗料により表示された文字又は模様とをそれぞれ形成してなることを特徴とする名刺。
【請求項２】
名刺素材面に、ブラックライトの照射により発色、発光する蛍光塗料のみにより表示された文字又は模様を形成してなることを特徴とする名刺。
【請求項３】
請求項１又は２記載の名刺において、
前記名刺素材は、紙、金属、木材、樹脂のいずれかにより形成されたものであることを特徴とする名刺。
【考案の詳細な説明】
【０００１】
【考案の属する技術分野】
本考案は、ブラックライトからの紫外線照射により発色、発光する蛍光塗料を用いて形成される名刺に関する。
【０００２】
【従来の技術】
名刺交換等を行った際には相手に配った名刺がなるべく注目され、あるいは印象に残るようなものであることが望ましい場合がある。このために、名刺に顔写真を貼ったり、素材を紙以外のものとしたり、着色したりすること等が行われている。また蓄光顔料の金属色又は他の有彩色の印刷層を表面に設けた名刺なども知られている（特許文献１参照）。
【０００３】
【特許文献１】
特開平８−３１０１６６号公報
【０００４】
【考案が解決しようとする課題】
ところで、上記従来の名刺には、太陽光あるいは昼光灯の下でも、また暗い所でも目視できるユニークなものが少ない。
【０００５】
そこで本考案は、このような点に着目してなされたものであり、ブラックライトからの紫外線照射により発色、発光する蛍光塗料を用いたユニークな名刺を提供することを目的とする。
【０００６】
【課題を解決するための手段】
本考案は以上の点を解決するため、次の構成を採用する。
〈構成１〉
名刺素材面に、通常塗料により表示された文字又は模様と、ブラックライトの照射により発色、発光する蛍光塗料により表示された文字又は模様とをそれぞれ形成してなることを特徴とする名刺。
【０００７】
本考案において通常塗料とは、名刺素材面に印刷あるいは塗布したときに、それが太陽光あるいは昼光灯の下で普通に目視できるものである。また、蛍光塗料とは、名刺素材面に印刷あるいは塗布したときに、太陽光あるいは昼光灯の下では白色であり、素材が白色の場合は目視し難いが、ブラックライトにより紫外線が照射されたときには発色、発光し、明確な目視が可能となるものである。
なお、通常塗料で表示された文字又は模様は、その上に、蛍光塗料が印刷あるいは塗布されても、太陽光あるいは昼光灯の下で目視できる。従って蛍光塗料による印刷あるいは塗布を行うに当たっては、素材の着色状況にかかわらず自由なデザインを施すことが可能である。
本請求項の考案は、上記２種類の塗料を組み合わせて使うことによって、通常塗料による文字、模様のみが表示された名刺と、蛍光塗料による文字、模様を加えた名刺の２面性を合わせ持つものとしたものである。
【０００８】
〈構成２〉
名刺素材面に、ブラックライトの照射により発色、発光する蛍光塗料のみにより表示された文字又は模様を形成してなることを特徴とする名刺。
【０００９】
本請求項の考案は、上記蛍光塗料のみを使うことによって、太陽光あるいは昼光灯の下で何も目視できず素材全面が白紙のような状態であるが、ブラックライトにより紫外線が照射されたときに、同塗料により表示された文字又は模様が発色、発光し、目視可能となる名刺である。
【００１０】
〈構成３〉
構成１又は２記載の名刺において、上記名刺素材は、紙、金属、木材、樹脂のいずれかにより形成されたものであることを特徴とする名刺。
【００１１】
名刺素材としては、紙に限らず、金属、木材、樹脂などから任意に選ばれた素材を用いることができる。本請求項の考案は、これらの各種の素材に適用可能であり、素材が異なることによって、通常塗料と蛍光塗料による表示効果の違いが生じてくる。
【００１２】
【実施例】
以下、本考案の実施例を添付図面に基づき詳細に説明する。
図１は本考案の名刺の実施態様を示す図であり、（ａ）は一実施例を示す正面図、（ｂ）は他の実施例を示す正面図、（ｃ）は（ａ）及び（ｂ）の変化例をそれぞれ示す正面図である。
【００１３】
図１（ａ）に示した名刺は、紙製の素材１の一面に、通常塗料により、社名２Ａ、氏名２Ｂ、住所２Ｃ等の文字を印刷したもので、さらに同面に、ブラックライトの照射により発色、発光する蛍光塗料により２つの花模様３Ａ、３Ｂ（図１ｃ）を印刷したものである。
２つの花模様３Ａと３Ｂは、ブラックライトの照射を受けた際に、互いに異なる色彩で発光するようにすると顕著性が生じる。例えば、一方の花模様３Ａの花芯を黄色、その周りの花びらを赤色に着色し、また他方の花模様３Ｂの花芯を赤色、その周りの花びらを黄色にそれぞれ着色する。
【００１４】
このようにされた名刺は、太陽光あるいは昼光灯の下では、図１（ａ）に示したように社名２Ａ、氏名２Ｂ、住所２Ｃの各文字のみが目視されるが、ブラックライトにより紫外線が照射されたときには、各花模様３Ａ、３Ｂが発色、発光し、図１（ｃ）に示したように、社名２Ａ、氏名２Ｂ、住所２Ｃ等の文字と、花模様３Ａ、３Ｂとがそれぞれ目視される。特に花模様３Ａ、３Ｂは、鮮やかな発光状態で浮き出たように現れる。
【００１５】
図１（ｂ）に示した名刺は、素材１の一面に、ブラックライトの照射により発色、発光する蛍光塗料のみにより、図１（ａ）に示したような社名２Ａ、氏名２Ｂ、住所２Ｃ等の文字と、花模様３Ａ、３Ｂとを印刷したものである。すなわち、すべての文字、模様を同蛍光塗料のみで印刷あるいは塗布したものである。
【００１６】
このようにされた名刺は、太陽光あるいは昼光灯の下では、文字、模様が白色であるため、目視し難く、図１（ｂ）に示したように白紙のような状態であるが、ブラックライトにより紫外線が照射されたときには、図１（ｃ）に示したように、突然、社名２Ａ、氏名２Ｂ、住所２Ｃの文字と花模様３Ａ、３Ｂとが全体的に鮮やかに発色、発光し、浮き出たように現れる。
【００１７】
なお、名刺素材１としては、紙材に限られず、通常塗料、蛍光塗料で印刷あるいは塗布可能な金属、木材、樹脂など各種の名刺素材を用いてもよい。また、花模様３Ａ、３Ｂの代りに、人物、動植物、風景、ロゴ等を印刷あるいは塗布することは自由である。
【００１８】
【考案の効果】
以上、本考案の名刺によれば、ブラックライトからの紫外線照射により発色、発光する蛍光塗料を用いたユニークな名刺を提供することができる。
【図面の簡単な説明】
【図１】本考案の名刺の実施態様を示す図であり、（ａ）は一実施例を示す正面図、（ｂ）は他の実施例を示す正面図、（ｃ）は、（ａ）または（ｂ）の名刺に、ブラックライトを照射したことによる変化例を示す正面図である。
【符号の説明】
１　　素材
２Ａ　社名文字
２Ｂ　氏名文字
２Ｃ　住所文字
３Ａ、３Ｂ　花模様
【図１】
0003098332.tif 000003